【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
流体調節装置であって、
バルブ本体導入口、バルブ本体排出口、および該バルブ本体導入口と該バルブ本体排出口との間に位置するスロートを有しているバルブ本体、
該バルブ本体の内部に配置され、該バルブ本体を通過する流体の流れを制御すべく、開放位置と閉鎖位置との間を変位するように構成された制御要素、
該バルブ本体へと接続され、ダイアフラムを該制御要素へと作用可能に接続して備えており、該ダイアフラムが、該バルブ本体排出口の圧力に応答して該制御要素を開放位置と閉鎖位置との間で動かすアクチュエータ、および
該バルブ本体の該スロートによって保持され、該制御要素が閉鎖位置にあるときに該制御要素が係合して該バルブ本体を通過する流体の流れを阻止するように構成された一次弁座を備えているバルブポート
を備えており、
該バルブポートが、
バルブポート入口、バルブポート出口、および該バルブポート入口と該バルブポート出口との間を延びる細長いオリフィス
をさらに備えており、
該細長いオリフィスが、該バルブポート入口に近い位置から該バルブポート出口に近い位置まで延びる円錐台形状の部位を備えることで、境界層剥離を軽減して流れの容量を最大にする様相で、流体を該バルブポートに通して流すことができる流体調節装置。
【請求項２】
前記バルブポートが、前記円錐台形状の部位の前記バルブポート入口に近い方の第１の端部を定めている第１の開口と、前記円錐台形状の部位の前記バルブポート出口に近い方の第２の端部を定めている第2の開口とをさらに備えており、該第１の開口が、該第２の開口の直径よりも大きい直径を有している請求項１に記載の装置。
【請求項３】
前記円錐台形状の部位が、約１５°〜約８５°の範囲の角度で収束している請求項１又は２に記載の装置。
【請求項４】
前記第１の直径が、前記第２の直径よりも約１０％〜約１５０％大きい範囲にある請求項２又は３に記載の装置。
【請求項５】
前記円錐台形状の部位が、前記細長いオリフィスの大部分を構成している請求項１乃至４のいずれかに記載の装置。
【請求項６】
前記バルブポートが、前記バルブ本体の前記スロートに螺合によって接続される請求項１乃至５のいずれかに記載の装置。
【請求項７】
前記バルブポートが、ハウジングおよび該ハウジング内にスライド可能に配置されるカートリッジを備えており、該カートリッジが、前記一次弁座、前記細長いオリフィス、前記バルブポート入口、および前記バルブポート出口を定めている請求項１乃至６のいずれかに記載の装置。
【請求項８】
前記ハウジングが、前記一次弁座の反対側で前記カートリッジに対して配置された二次弁座を備えており、
前記カートリッジが、前記バルブポート入口が該二次弁座から離れている一次着座位置と前記バルブポート入口が該二次弁座に密に係合する二次着座位置との間をスライドできるように、前記ハウジング内に配置されている請求項７に記載の装置。
【請求項９】
前記ハウジングが、前記カートリッジが前記一次着座位置にあるときに前記細長いオリフィスへと流体を通すことができるよう、前記二次座に隣接して位置する少なくとも１つの窓をさらに備えている請求項８に記載の装置。
【請求項１０】
流体調節装置であって、
バルブ本体導入口、バルブ本体排出口、および該バルブ本体導入口と該バルブ本体排出口との間に位置するスロートを有しているバルブ本体、
該バルブ本体の内部に配置され、該バルブ本体を通過する流体の流れを制御すべく、開放位置と閉鎖位置との間を変位するように構成された制御要素、
該バルブ本体へと接続され、ダイアフラムを該制御要素へと作用可能に接続して備えており、該ダイアフラムが、該バルブ本体排出口の圧力に応答して該制御要素を開放位置と閉鎖位置との間で動かすアクチュエータ、および
該バルブ本体の該スロートによって保持され、該制御要素が閉鎖位置にあるときに該制御要素が係合して該バルブ本体を通過する流体の流れを阻止するように構成された一次弁座を備えているバルブポート
を備えており、
該バルブポートが、
バルブポート入口、バルブポート出口、該バルブポート入口の付近に位置する第１の開口、該バルブポート出口の付近に位置する第２の開口、および該第１および第２の開口の間を延びる細長いオリフィス
をさらに備えており、
該第１のオリフィスが、第１の直径を有し、該第２のオリフィスが、該第１の直径よりも小さい第２の直径を有することで、該細長いオリフィスが、境界層剥離を軽減して流れの容量を最大にする様相で、流体を該バルブポートに通し流すことができるように、該第１の開口から該第２の開口へと収束している流体調節装置。
【請求項１１】
前記細長いオリフィスが、前記第１の開口から前記第２の開口へと延びる円錐台形状の部位を備えている請求項１０に記載の装置。
【請求項１２】
前記円錐台形状の部位が、前記第１の開口から前記第２の開口へと約１５°〜約８５°の範囲の角度で収束している請求項１１に記載の装置。
【請求項１３】
前記円錐台形状の部位が、前記細長いオリフィスの大部分を構成している請求項１１又は１２に記載の装置。
【請求項１４】
前記第１の直径が、前記第２の直径よりも約１０％〜約１５０％大きい範囲にある請求項１０乃至１３のいずれかに記載の装置。
【請求項１５】
前記バルブポートが、前記バルブ本体の前記スロートに螺合によって接続される請求項１０乃至１４のいずれかに記載の装置。
【請求項１６】
前記バルブポートが、ハウジングおよび該ハウジング内にスライド可能に配置されるカートリッジを備えており、該カートリッジが、前記一次弁座、前記細長いオリフィス、前記バルブポート入口、前記バルブポート出口、前記第１の開口、および前記第２の開口を定めている請求項１０乃至１５のいずれかに記載の装置。
【請求項１７】
前記ハウジングが、前記一次弁座の反対側で前記カートリッジに対して配置された二次弁座を備えており、
前記カートリッジが、前記バルブポート入口が前記二次弁座から離れている一次着座位置と前記バルブポート入口が前記二次弁座に密に係合する二次着座位置との間をスライドできるように、前記ハウジング内に配置されている請求項１６に記載の装置。
【請求項１８】
前記ハウジングが、前記カートリッジが前記一次着座位置にあるときに前記細長いオリフィスへと流体を通すことができるよう、前記二次座に隣接して位置する少なくとも１つの窓をさらに備えている請求項１７に記載の装置。
【請求項１９】
バルブ本体と、制御要素と、アクチュエータとを備えており、該制御要素が、該バルブ本体の内部に配置され、該バルブ本体を通過する流体の流れを制御すべく開放位置と閉鎖位置との間を変位するように構成されており、該アクチュエータが、該バルブ本体へと接続されるとともに、該制御要素へと作用可能に接続されて該バルブ本体の排出口の圧力に応答して該制御要素を開放位置と閉鎖位置との間で動かすダイアフラムを備えている流体調節装置において使用されるように構成され、該流体調節装置のスロートに着脱可能に配置されるように構成されているバルブポートであって、
該制御要素が閉鎖位置にあるときに、該バルブ本体を通過する流体の流れを阻止すべく該制御要素が係合するように構成された一次弁座、
バルブポート入口および該バルブポート入口の反対側に位置するバルブポート出口、および
該バルブポート入口と該バルブポート出口との間を延びており、該バルブポート入口に近い位置から該バルブポート出口に近い位置まで延びる円錐台形状の部位を備えることで、境界層剥離を軽減して流れの容量を最大にする様相で当該バルブポートを通って流体を流すことができる細長いオリフィス
を備えているバルブポート。
【請求項２０】
前記円錐台形状の部位が、約１５度〜約８５°の範囲の角度で収束している請求項１９に記載のバルブポート。
【請求項２１】
前記円錐台形状の部位の前記バルブポート入口に近い方の第１の端部を定める第１の開口と、前記円錐台形状の部位の前記バルブポート出口に近い方の第２の端部を定める第２の開口とをさらに備えており、該第１の開口が、該第２の開口の直径よりも大きい直径を有している請求項１９又は２０に記載のバルブポート。
【請求項２２】
前記第１の直径が、前記第２の直径よりも約１０％〜約１５０％大きい範囲にある請求項２１に記載のバルブポート。
【請求項２３】
前記円錐台形状の部位が、前記細長いオリフィスの大部分を構成している請求項１９乃至２２のいずれかに記載のバルブポート。
【請求項２４】
ハウジングおよび該ハウジング内にスライド可能に配置されたカートリッジを備えており、該カートリッジが、前記一次弁座、前記細長いオリフィス、前記バルブポート入口、および前記バルブポート出口を定めている請求項１９乃至２３のいずれかに記載のバルブポート。
【請求項２５】
前記ハウジングが、前記一次弁座の反対側で前記カートリッジに対して配置された二次弁座を備えており、
前記カートリッジが、前記バルブポート入口が前記二次弁座から離れている一次着座位置と前記バルブポート入口が前記二次弁座に密に係合する二次着座位置との間をスライドできるように、前記ハウジング内に配置されている請求項２４に記載のバルブポート。
【請求項２６】
前記ハウジングが、前記カートリッジが前記一次着座位置にあるときに前記細長いオリフィスへと流体を通すことができるよう、前記二次座に隣接して位置する少なくとも１つの窓をさらに備えている請求項２５に記載のバルブポート。